(57)【要約】容器の蓋は、容器上部、蓋開口部、クロージャ、押しボタン、およびロックを有する。容器上部は、容器本体に取り付けられるようにサイズ設定および構成され得る。蓋開口部は、容器上部に形成され得る。クロージャは、容器上部に移動可能に接続することができ、蓋開口部がそれぞれ覆われるたり覆われなかったりする第１の位置と第２の位置との間で移動することができる。押しボタンは、クロージャを第１の位置に選択的に保持するように構成され得、ラッチ位置とラッチ解除位置との間で移動可能であり得る。ロックは、ロック位置とロック解除位置との間で移動可能であり得、ロック位置では、押しボタンがラッチ位置からラッチ解除位置に移動することを禁止するように構成され得る。
2021522118.tif 000002
【特許請求の範囲】
【請求項１】
容器の蓋であって、
容器本体に取り付けられるように構成された容器上部と、
前記容器上部に形成された蓋開口部と、
前記容器上部に移動可能に接続され、前記蓋開口部を選択的に覆うように構成されたクロージャであって、前記蓋開口部が覆われる第１の位置と前記蓋開口部が覆われていない第２の位置との間で移動可能なクロージャと、
前記容器上部および前記クロージャの１つまたは複数に移動可能に接続され、前記クロージャを前記第１の位置に選択的に保持するように構成された押しボタンであって、ラッチ位置とラッチ解除位置との間で前記容器上部及び前記クロージャに対して移動可能な押しボタンと、
ロック位置とロック解除位置との間で移動可能に前記容器上部および前記クロージャの１つまたは複数に接続されたロックであって、前記ロック位置にある前記ロックは、前記押しボタンが前記ラッチ位置から前記ラッチ解除位置へ移動することを禁止するように構成されている、ロックと、
を備える容器の蓋。
【請求項２】
前記ロック位置にある前記ロックは、前記押しボタンの少なくとも一部を覆うことにより、前記押しボタンが前記ラッチ位置から前記ラッチ解除位置に移動することを禁止するように構成されている、請求項１に記載の容器の蓋。
【請求項３】
請求項２に記載の容器の蓋であって、前記押しボタンの前記少なくとも一部が、
前記押しボタンの上半分と、
前記ロックが前記ロック解除位置にあるときにアクセス可能な前記押しボタンの接触部分の半分と、
前記押しボタンの中心軸と、
前記押しボタンの重心と、
のうち少なくとも１つを含む、容器の蓋。
【請求項４】
前記ロックは、前記容器上部に回転可能に接続された取っ手を含み、前記取っ手は、前記ロックを前記ロック位置と前記ロック解除位置との間で移動させるように回転可能である、請求項１乃至３のいずれか一項に記載の容器の蓋。
【請求項５】
請求項１乃至３のいずれか一項に記載の容器の蓋であって、
前記ロックは、前記容器上部に回転可能に接続された取っ手を備え、
前記クロージャは、前記容器上部に回転可能に接続され、
前記クロージャは突起を備え、前記突起は、前記突起を通過する前記クロージャに対する前記取っ手の回転を妨げるように構成され、
前記取っ手は、
前記クロージャの前記突起が前記取っ手の少なくとも一部の上方に配置されるロック位置と、
前記取っ手の少なくとも一部が前記クロージャの前記突起の上方に配置され、前記クロージャと前記取っ手が前記容器上部に対して独立して回転可能なロック解除位置と、の間で回転可能である、容器の蓋。
【請求項６】
前記ロック解除位置において、前記クロージャおよび前記取っ手は、前記容器上部に対して、同じ軸の周りで独立して回転可能である、請求項４又は５に記載の容器の蓋。
【請求項７】
請求項１乃至３のいずれか一項に記載の容器の蓋であって、
前記ロックは、前記容器上部に回転可能に接続された取っ手を備え、
前記クロージャは、前記容器上部に回転可能に接続され、
前記クロージャは突起を備え、前記突起は、前記突起を通過する前記クロージャに対する前記取っ手の回転を妨げるように構成され、
前記取っ手は、
前記クロージャの前記突起が前記取っ手の少なくとも一部の上方に配置されるロック位置と、
前記クロージャの前記突起が前記取っ手の受容部分と係合し、前記クロージャおよび前記取っ手が前記容器上部に対して従属的に回転可能である第１のロック解除位置と、
前記取っ手の少なくとも一部が前記クロージャの前記突起の上方に配置され、前記クロージャと前記取っ手が前記容器上部に対して独立して回転可能な第２のロック解除位置と、の間で回転可能である、容器の蓋。
【請求項８】
前記押しボタンは、前記容器上部および前記クロージャのうちの少なくとも１つに対して、前記ラッチ位置と前記ラッチ解除位置との間で並進移動および回転する、請求項１乃至７のいずれか一項に記載の容器の蓋。
【請求項９】
請求項１乃至８のいずれか一項に記載の容器の蓋であって、
前記押しボタンは、押しボタン係合部材を備え、
前記クロージャは、クロージャ係合部材を備え、
前記押しボタン係合部材および前記クロージャ係合部材は、前記クロージャを前記第１の位置に選択的に保持するために互いに係合するように構成され、
前記押しボタンは、前記ロックが前記ロック解除位置にあるときにアクセス可能な接触部分をさらに備え、
前記押しボタンが前記ラッチ位置にあるときに、前記接触部分の後部下部は、前記容器上部から第１の距離だけ水平方向に離間しており、
前記押しボタンが前記ラッチ位置にあり、前記クロージャが前記第１の位置にあるとき、前記押しボタン係合部材は、係合距離だけ前記クロージャ係合部材と水平に重なり、
前記係合距離は前記第１の距離よりも大きい、容器の蓋。
【請求項１０】
容器であって、
容器本体と、
前記容器本体に取り付け可能な容器の蓋とを備える容器であって、該容器の蓋は、
前記容器本体の内部へのアクセスを提供する注ぎ口と、
前記注ぎ口を選択的に密閉するように構成されたクロージャであって、前記注ぎ口が密閉される第１の位置と前記注ぎ口が密閉されていない第２の位置との間で前記注ぎ口に対して移動可能であるクロージャと、
前記クロージャを前記第１の位置に選択的に保持するように構成された押しボタンであって、前記第１の位置に前記クロージャを保持するラッチ位置と、前記押しボタンが第１の位置に前記クロージャを保持しないラッチ解除位置との間で、前記注ぎ口および前記クロージャの少なくとも１つに対して移動可能な押しボタンと、
前記押しボタンの操作を選択的に禁止するように構成されたロックであって、前記押しボタンの操作が前記ロックによって禁止されるロック位置と、前記押しボタンの操作が前記ロックによって禁止されないロック解除位置との間で、前記注ぎ口に対して移動可能なロックと、
を備える容器。
【請求項１１】
前記ロック位置にある前記ロックは、前記押しボタンの少なくとも一部への開放力の付与を禁止することによって、前記押しボタンの動作を禁止するように構成される、請求項１０に記載の容器。
【請求項１２】
請求項１１に記載の容器であって、前記押しボタンの少なくとも一部が、
前記押しボタンの上半分と、
前記ロックが前記ロック解除位置にあるときにアクセス可能な前記押しボタンの接触部分の半分と、
前記押しボタンの中心軸と、
前記押しボタンの重心とのうち少なくとも１つを含む、容器。
【請求項１３】
前記ロックは、前記注ぎ口に対して回転可能な取っ手を含み、前記取っ手は、前記ロックを前記ロック位置と前記ロック解除位置との間で移動させるように回転可能である、請求項１０乃至１２のいずれか一項に記載の容器。
【請求項１４】
請求項１０乃至１２のいずれか一項に記載の容器であって、
前記ロックは、前記注ぎ口に対して回転可能な取っ手を備え、
前記クロージャは、前記注ぎ口に対して回転可能であり、
前記クロージャは突起を備え、前記突起は、前記突起を通過する前記クロージャに対する前記取っ手の回転を妨げるように構成され、
前記取っ手は、
前記クロージャの前記突起が前記取っ手の少なくとも一部の上方に配置されるロック位置と、
前記取っ手の少なくとも一部が前記クロージャの前記突起の上方に配置され、前記クロージャと前記取っ手が前記注ぎ口に対して独立して回転可能なロック解除位置と、の間で回転可能である、容器。
【請求項１５】
前記押しボタンは、前記注ぎ口および前記クロージャのうちの少なくとも１つに対して、前記ラッチ位置と前記ラッチ解除位置との間で並進移動および回転する、請求項１０乃至１４のいずれか一項に記載の容器。
【請求項１６】
請求項１０乃至１５のいずれか一項に記載の容器であって、
前記押しボタンは、押しボタン係合部材を備え、
前記クロージャは、クロージャ係合部材を備え、
前記押しボタン係合部材および前記クロージャ係合部材は、前記クロージャを前記第１の位置に選択的に保持するために互いに係合するように構成され、
前記押しボタンは、前記ロックが前記ロック解除位置にあるときにアクセス可能な接触部分をさらに備え、
前記接触部分の後部下部は、前記注ぎ口に対して第１の距離まで水平に移動可能であり、
前記押しボタンが前記ラッチ位置にあり、前記クロージャが前記第１の位置にあるとき、前記押しボタン係合部材は、係合距離だけ前記クロージャ係合部材と水平に重なり、
前記係合距離は前記第１の距離よりも大きい、容器。
【請求項１７】
容器の蓋であって、
互いに間隔を置いて配置された２つのピボットマウントを有する容器上部と、
前記容器上部に接続されたロックであって、前記ロックが前記蓋の開放を禁止するロック位置と、前記ロックが取っ手を形成するロック解除位置との間で回転可能なロックと、
を備え、
前記ロックの第１の端部は、前記２つのピボットマウントの一方で前記容器上部に接続され、前記ロックの第２の端部は、前記２つのピボットマウントの他方で前記容器上部に接続される、容器の蓋。
【請求項１８】
請求項１７に記載の容器の蓋であって、前記蓋が閉じている第１の位置と前記蓋が開いている第２の位置との間で移動可能なクロージャをさらに備え、
前記クロージャは、前記２つのピボットマウントで前記容器上部に接続され、
前記クロージャ及び前記ロックは同じ軸の周りで回転可能である、容器の蓋。
【請求項１９】
請求項１８に記載の容器の蓋であって、前記ロックは、前記クロージャに係合可能であり、かつ前記クロージャから係合解除可能であり、
前記ロックが前記クロージャと係合すると、前記ロック及び前記クロージャの両方が前記軸の周りで一緒に回転可能であり、
前記ロックが前記クロージャから係合解除すると、前記ロック及び前記クロージャは前記軸の周りで独立して回転するように構成されている、容器の蓋。
【請求項２０】
請求項１８又は１９に記載の容器の蓋であって、前記クロージャが、前記ロックの第１の端部と前記ロックの前記第２の端部との間に配置されている、容器の蓋。
【請求項２１】
請求項１７乃至２０のいずれか一項に記載の容器の蓋であって、押しボタンをさらに備え、前記ロック位置において、前記ロックは前記押しボタンの一部を覆い、前記押しボタンの動作を禁止する、容器の蓋。
【請求項２２】
請求項１７に記載の容器の蓋であって、
前記蓋が閉じている第１の位置と前記蓋が開いている第２の位置との間で移動可能なクロージャであって、前記第２の位置に向かって付勢されているクロージャと、
前記第１の位置にあるときの前記クロージャが前記第１の位置に保持されるラッチ位置と、前記クロージャが前記第１の位置に保持されないラッチ解除位置との間で移動可能な押しボタンと、
を備え、
前記ロック位置では、前記ロックは前記クロージャの周りに延びて前記押しボタンを覆う、容器の蓋。
【請求項２３】
前記ロックが前記ロック解除位置にあるとき、前記クロージャが前記第１の位置にあり、前記ボタンが押されると、前記ボタンは、前記ラッチ位置から前記ラッチ解除位置に並進移動および回転し、前記クロージャは、前記第１の位置から前記第２の位置に自動的に移動する、請求項２２に記載の容器の蓋。
【発明の詳細な説明】
【技術分野】
【０００１】
本開示は、一般に、ボタン解除およびロックを備えた蓋に関する。
【背景技術】
【０００２】
容器は、水、飲み物、飲料、ジュースなどの様々な異なる種類の液体を保持することができる。容器には、エナジードリンク、プロテインドリンク、シェイク、食品、ドレッシング、ソース、流動食代用品などのさまざまな物を入れることもできる。
【０００３】
容器の内部へのアクセスを制御するために、クロージャ付きの蓋を使用することができる。蓋は、容器の開口部を選択的に覆うことができる。クロージャは、蓋に形成された比較的小さな開口部を選択的に覆うことができる。蓋を完全に取り外して、容器を氷または他の内容物で満たしたり、容器を洗浄したり、または容器の比較的大きな開口部を通して容器の内部へのアクセスを提供したりすることができる。クロージャは、ユーザーが蓋の比較的小さな開口部を通して容器の内容物を消費することを可能にするために、または蓋に形成された比較的小さな開口部を通して容器の内部へのアクセスを提供するために開かれ得る。
【０００４】
本明細書で主張される主題は、任意の課題を解決する実施形態、または上記のような環境でのみ動作する実施形態に限定されない。むしろ、この背景技術は、本明細書に記載のいくつかの実施形態が実施され得る一例の技術領域を説明するためにのみ提供されている。
【発明の概要】
【課題を解決するための手段】
【０００５】
主題の開示のいくつかの実施形態では、容器は、液体、飲み物、および飲料などを保持または含むことができる。容器は、水および／または他の種類の流体が輸送および／または消費されることを可能にし得る。例えば、容器は、水、フレーバー水、果汁飲料、ビタミン強化飲料、エナジードリンク、喉の渇きを癒すものなどを輸送または消費するために使用することができる。さらに、容器は、ビタミン、サプリメント、プロテインパウダー、食事代替品などを含み得る混合物および溶液を保持することができる。さらに、容器は、様々な粉末、固体、および／または果物、野菜、スープ、ドレッシングなどの食品を含む他の種類の材料を保持することができる。いくつかの実施形態では、容器は、内容物を所望の温度に保つのを助けるために保温され得る。容器は、ボトル、カップ、器などであってもよく、容器は、例えば、容器の使用目的に応じて、様々な異なる形状、サイズ、構成、および配置のいずれかを有し得る。
【０００６】
主題の開示のいくつかの態様は、容器用の蓋に関連している。いくつかの実施形態では、容器の蓋は、選択的に容器に取り付けられたり、容器から取り外されたりする。容器の蓋は、容器の開口部を覆うことができ、容器の蓋の１つまたは複数の開口部を覆うクロージャを有し得る。容器の蓋は、１つまたは複数の開口部を気密および／または液密でシールで密封することができ、これにより内容物が漏れたりこぼれたりするのを防ぐことができる。１つまたは複数の開口部は、内容物を容器に迅速かつ容易に追加したり、容器から取り出すことを許容する。
【０００７】
一例では、容器の蓋は、容器上部、蓋開口部、クロージャ、押しボタン、およびロックを有する。容器の上部は、容器本体に取り付けられるようにサイズ設定および構成され得る。蓋開口部は、容器上部に形成され得る。クロージャは、容器上部に移動可能に接続することができ、蓋開口部を選択的に覆うように構成することができる。クロージャは、蓋開口部が覆われている第１の位置と、蓋開口部が覆われていない第２の位置との間で移動可能である。押しボタンは、容器上部およびクロージャのうちの１つまたは複数に移動可能に接続することができ、クロージャを第１の位置に選択的に保持するように構成することができる。押しボタンは、容器上部およびクロージャに対して、ラッチ位置とラッチ解除位置との間で移動可能である。ロックは、ロック位置とロック解除位置との間において容器上部およびクロージャのうちの１つまたは複数に移動可能に接続することができる。ロック位置のロックは、押しボタンがラッチ位置からラッチ解除位置に移動するのを禁止するように構成することができる。
【０００８】
別の例では、容器は、容器本体と、容器本体に取り付け可能な容器の蓋とを含む。容器の蓋は、注ぎ口、クロージャ、押しボタン、およびロックを有する。注ぎ口は、容器本体の内部へのアクセスを提供し得る。クロージャは、注ぎ口を選択的に密封するように構成することができる。クロージャは、注ぎ口が密封されている第１の位置と、注ぎ口が密封されていない第２の位置との間で、注ぎ口に対して移動可能である。押しボタンは、クロージャを第１の位置に選択的に保持するように構成することができる。押しボタンは、押しボタンが第１の位置にクロージャを保持するラッチ位置と、押しボタンが第１の位置にクロージャを保持しないラッチ解除位置との間で、注ぎ口およびクロージャの少なくとも１つに対して移動可能であり得る。ロックは、押しボタンの操作を選択的に禁止するように構成することができる。ロックは、押しボタンの操作がロックによって禁止されるロック位置と、押しボタンの操作がロックによって禁止されないロック解除位置との間で、注ぎ口に対して移動可能であり得る。
【０００９】
主題の技術のこれらおよび他の態様、特徴、および利点は、以下の図面の簡単な説明、図面、好ましい実施形態の詳細な説明、および添付の特許請求の範囲からより完全に明らかになるであろう。
【００１０】
添付の図面は、この説明に組み込まれ、その一部を構成し、主題の技術の上記および他の態様、原理、利点、および特徴をさらに開示するための特定の実施形態の図を含む。これらの図面は特定の実施形態のみを示しており、本発明の範囲を限定することを意図していないことが理解されよう。さらに、図面は、主題の技術の特定のサイズ、スケール、関係、および構成を示し得るが、図面は、特許請求の範囲に記載される発明の範囲を限定することを意図していないことが理解されよう。
【図面の簡単な説明】
【００１１】
【図１Ａ】図１Ａは、少なくとも１つの実施形態による、例示的な容器の上方正面斜視図である。
【図１Ｂ】図１Ｂは、少なくとも１つの実施形態による、例示的な容器の上方背面斜視図である。
【図１Ｃ】図１Ｃは、少なくとも１つの実施形態による、例示的な容器の分解された上方正面斜視図である。
【図２Ａ】図２Ａは、図１Ａ乃至図１Ｃの容器の蓋の上方正面斜視図である。
【図２Ｂ】図２Ｂは、図１Ａ乃至図１Ｃの容器の蓋の分解された上方正面斜視図である。
【図３Ａ】図３Ａは、図２Ａおよび図２Ｂの容器の蓋の容器上部の上方正面斜視図である。
【図３Ｂ】図３Ｂは、図２Ａおよび図２Ｂの容器の蓋の容器上部の下方正面斜視図である。
【図４Ａ】図４Ａは、図２Ａおよび図２Ｂの容器の蓋のロックの上方正面斜視図である。
【図４Ｂ】図４Ｂは、図２Ａおよび図２Ｂの容器の蓋のロックの下方正面斜視図である。
【図５Ａ】図５Ａは、図２Ａおよび図２Ｂの容器の蓋のクロージャの上方正面斜視図である。
【図５Ｂ】図５Ｂは、図２Ａおよび図２Ｂの容器の蓋のクロージャの下方正面斜視図である。
【図５Ｃ】図５Ｃは、図２Ａおよび図２Ｂの容器の蓋のクロージャの上方背面斜視図である。
【図５Ｄ】図５Ｄは、図２Ａおよび図２Ｂの容器の蓋のクロージャの下方背面斜視図である。
【図６Ａ】図６Ａは、図２Ａおよび図２Ｂの容器の蓋開口シールの上方正面斜視図である。
【図６Ｂ】図６Ｂは、図２Ａおよび図２Ｂの容器の蓋開口シールの下方正面斜視図である。
【図７Ａ】図７Ａは、図２Ａおよび図２Ｂの容器の蓋の上方正面斜視図である。
【図７Ｂ】図７Ｂは、図２Ａおよび図２Ｂの容器の蓋の押しボタンの下方背面斜視図である。
【図７Ｃ】図７Ｃは、図２Ａおよび図２Ｂの容器の蓋の押しボタンの正面図である。
【図７Ｄ】図７Ｄは、図２Ａおよび図２Ｂの容器の蓋の押しボタンの背面図である。
【図８】図８は、図２Ａおよび図２Ｂの容器の蓋のボタン付勢部材の上方正面斜視図である。
【図９】図９は、図２Ａおよび図２Ｂの容器の蓋のクロージャ付勢部材の上方正面斜視図である。
【図１０Ａ】図１０Ａは、図２Ａの容器の蓋の一部の側断面図である。
【図１０Ｂ】図１０Ｂは、図２Ａの容器の蓋の一部の側断面図である。
【図１０Ｃ】図１０Ｃは、図２Ａの容器の蓋の一部の側断面図である。
【図１１Ａ】図１１Ａは、ロックがロック位置にある状態の容器の蓋の側面図である。
【図１１Ｂ】図１１Ｂは、ロックが第１のロック解除位置にある容器の蓋の側面図である。
【図１１Ｃ】図１１Ｃは、ロックが第２のロック解除位置にある容器の蓋の側面図である。
【図１２】図１２は、ロックがロック位置にある状態の容器の蓋の一部の正面断面斜視図である。
【発明を実施するための形態】
【００１２】
以下に記載される詳細な説明は、対象技術の様々な構成の説明を含み、対象技術が実施され得る唯一の構成を表すことを意図するものではない。詳細な説明には、主題の技術を完全に理解するための具体的な詳細が含まれている。ただし、主題の技術は、これらの特定の詳細なしで実践される場合がある。場合によっては、主題の技術の概念を曖昧にすることを避けるために、よく知られた構造および部品が示されていないか、または概略的に示されている。
【００１３】
主題の技術の様々な態様、原理、利点、および特徴が、液体分配容器または容器の蓋に関して本明細書に開示されているが、本開示は、液体分配容器または容器の蓋に限定されない。本開示に照らして、本明細書に開示される液体分配容器は、様々な適切な形状、サイズ、構成、および配置を有し得ることが理解されよう。主題の技術による容器および容器の蓋は、容器、セレクター、弁本体、ノズル、蓋本体、ストローなどの任意の適切な数の部品および構成要素を含み得ることも理解されよう。そして、容器および容器の蓋は、特徴、部品、態様などの任意の適切な数および組み合わせを含み得る。開示された部品は、主題の技術のいくつかの実施形態において組み合わされるか、または細分化され得る。さらに、添付の図面は、特定のスタイルおよび構成を有する容器および容器の蓋を示しているが、特許請求の範囲に記載される主題は、図示された様式および構成に限定されない場合があることが理解されよう。さらに、容器および容器の蓋は、他のタイプの装置と関連して首尾よく使用され得る。
【００１４】
様々な例示的な実施形態が添付の図面に示されている。様々な例示的な実施形態の説明を支援するために、上、下、前、後、側面、右、左、および／または類似の用語を使用して、添付の図を説明することができ、必ずしもそうである必要はないが、一定の縮尺で描かれている。さらに、容器は、様々な所望の位置または方向に配置され得、そして多くの場所、環境、および配置で使用され得ることが理解されるであろう。
【００１５】
いくつかの容器の蓋は、蓋開口部と、蓋開口部を閉じるためのクロージャとを有する。いくつかのそのような容器の蓋は、蓋開口部を開くためにクロージャを解放するように動作可能な押しボタンを有する。押しボタンを誤って操作すると、誤ってクロージャが開き、蓋開口部から内容物が誤って流出する可能性がある。したがって、本明細書に記載のいくつかの実施形態は、押しボタンの不注意な操作を防止するためのロックを提供することができる。
【００１６】
図１Ａ乃至図１Ｃはそれぞれ、本明細書に記載の少なくとも１つの実施形態による、例示的な容器１０の上方正面斜視図、上方背面斜視図、および分解された上方正面斜視図を含む。図示のように、容器１０は、蓋１２および容器本体１４を有し得る。任意選択で、容器１０は、ストロー１６を追加的に有し得る（図１Ｃ）。容器本体１４は、本明細書では一般に内容物と呼ばれる１つまたは複数の種類の液体および／または固体を保持、保存、および／または貯蔵するようなサイズおよび形状であり得る。
【００１７】
容器の蓋１２は、容器本体１４と協働して、液体などの内容物を容器本体１４内、例えば、容器本体１４の内部１８（図１Ｃ）内に固定することができる。容器の蓋１２は、容器本体１４から完全に取り外されて、容器本体１４の上部開口部２０（図１Ｃ）を露出させ、例えば、容器に内容物を追加したり、容器１０から内容物を取り出したり、容器本体１４の内部１８を洗浄したり、または容器本体１４の内部１８にアクセスしたりするために、上部開口部２０を通して容器本体１４の内部１８にアクセスすることができる。
【００１８】
容器の蓋１２は、比較的小さく、例えば、容器本体１４の上部開口２０よりも小さく、容器本体１４の内部１８へアクセス可能となる１つまたは複数の蓋開口部（例えば、図２Ｂおよび図３Ａを参照）を規定することができる。例えば、ユーザは、容器の蓋１２の１つまたは複数の開口部（例えば、蓋開口部５０、図３Ａを参照）を通して容器１０の内容物を消費したり、１つまたは１つを通して容器１０に粉末飲料混合物を投入したり、または容器の蓋１２の１つまたは複数の開口部を介して容器本体１４の内部１８にアクセスしたりする。
【００１９】
容器の蓋１２は、容器本体１４に選択的に接続することができる。例えば、容器の蓋１２は、容器の蓋１２を容器本体１４にねじ込んだり、スナップしたり、ねじったり、スライドさせたり、またはねじ込んだりすることによって、容器本体１４に選択的に接続することができる。例えば、容器本体１４の上部は、１つまたは複数の雄ねじまたは雌ねじ２２（図１Ｃ）を有し得、容器の蓋１２の下部は、１つまたは複数の対応するねじ４８（図３Ｂ）を有し得る。ねじ２２およびねじ４８は、容器の蓋１２が容器本体１４に選択的に接続されることを可能にするために嵌合可能である。容器の蓋１２の容器本体１４へのねじ接続は、固定、気密、液密、および／または漏れ防止シールを形成することができる。ねじ接続は、容器本体１４と容器の蓋１２とをしっかりと接続するために、複数回または１回以下の回転を必要とし得る。より一般的には、容器本体１４および容器の蓋１２は、１つまたは複数の回転の一部を含む、任意の適切な回転数によって接続され得る。容器本体１４および容器の蓋１２はまた、例えば、容器１０の使用目的に応じて、他の適切なタイプの接続および構造を使用して接続され得る。
【００２０】
図２Ａおよび図２Ｂは、本明細書に記載の少なくとも１つの実施形態による、容器の蓋１２の上方正面斜視図および分解された上方正面斜視図を含む。図２Ａおよび本体２Ｂに示されるように、容器の蓋１２は、容器上部２４、クロージャ２６、押しボタン２８、およびロック３０を有し得る。任意選択で、容器の蓋１２は、蓋シール３２、ボタン付勢部材３４、クロージャ付勢部材３６、および蓋開口シール３８のうちの１つまたは複数をさらに有し得る。
【００２１】
図３Ａは、本明細書に記載の少なくとも１つの実施形態による、容器上部２４の上方正面斜視図を含み、図３Ｂは、容器上部２４の下方正面斜視図を含む。容器上部２４は、端壁４０、スカート４２、注ぎ口４４、および／または１つまたは複数のピボットマウント４６を有し得る。スカート４２は、一般に、端壁４０から下向きに延びることができ、容器本体１４の上部と嵌合して係合するように構成することができる。この実施形態および他の実施形態では、スカート４２は、その内面または外面に、１つまたは複数の容器係合部材を含み、容器上部２４を容器本体１４に選択的に固定することができる。例えば、スカート４２は、１つまたは複数の雌ねじ４８、１つまたは複数の雄ねじ、バヨネットスタイルのマウント、または１つまたは複数の他の容器係合部材を有し得る。それらは、容器上部２４を容器本体１４に固定するために、容器本体１４の上部外面または上部内面に形成された１つまたは複数の対応するねじ、バヨネットスタイルのマウント、または他の容器係合部材と嵌合して係合するように構成されている。
【００２２】
注ぎ口４４は、端壁４０から上方に延び得る。蓋開口部５０Ａ、５０Ｂ（総称して「蓋開口部５０」）は、注ぎ口４４および／または容器上部２４を通過することができる。より一般的には、注ぎ口４４は、１つまたは複数の蓋開口部を規定することができる。例として、一方が他方の前に配置された、サイズが等しくない２つの蓋開口部５０を図３Ａに示す。他の実施形態では、注ぎ口４４は、単一の開口部または２つ以上の開口部を規定することができ、各開口部は、任意の適切なサイズおよび／または形状を有する。容器の蓋１２が容器本体１４に接続され、クロージャ２６が動かされて注ぎ口４４を露出するとき、ユーザは、１つまたは複数の蓋開口部５０を通して容器１０から内容物を消費したり、取り出したりすることができる。例えば、ストロー１６（図１Ｃ）は、開口部５０Ｂと流体連通可能であり、ユーザは、開口部５０Ｂを吸引することによって、容器１０から内容物を消費したり、取り出したしすることができる。別の例として、ユーザは、容器本体１４を傾け、少なくとも部分的に反転、および／または圧搾して、開口部５０Ａを通して容器１０から内容物を消費したり、取り出したりすることができる。代替的または追加的に、ユーザは、１つまたは複数の開口部５０を介して容器１０に内容物を追加することができる。
【００２３】
ピボットマウント４６のそれぞれは、開口部５２を規定することができ（図３Ａでは１つのみ図示）、以下でより詳細に説明する。いくつかの実施形態では、開口部５２は、図３Ａに示されるように、くぼみを形成し得る。そのような実施形態では、開口部５２は、ピボットマウント４６を完全に貫通することなく、ピボットマウント４６上のそれらの周囲の表面からはめ込まれ得る。他の例では、開口部５２は、ピボットマウント４６を完全に貫通する穴を形成することができる。
【００２４】
容器上部２４は、押しボタン凹部５４の対向する側面に形成された空洞５５を備えた押しボタン凹部５４をさらに含み得る。押しボタン凹部５４は、押しボタン２８の少なくとも一部をその中に受容して保持するようなサイズおよび構成であり得る。押しボタンのくぼみ５４内で、突起５６は、押しボタンのくぼみ５４の壁から（例えば、図３Ａに示される実施形態における注ぎ口４４の前壁５８から）外向きに延びることができる。突起５６は、注ぎ口４４の前壁５８と押しボタン２８との間に配置されたボタン付勢部材３４を保持するようなサイズおよび構成であり得る。
【００２５】
図４Ａおよび図４Ｂは、本明細書に記載の少なくとも１つの実施形態による、ロック３０の上方正面斜視図（図４Ａ）および下方正面斜視図（図４Ｂ）を含む。ロック３０は、いくつかの実施形態では、取っ手として実施され得る。ロック３０は、ロック３０の両端部６２の間に押しボタンカバー６０を含み得る。端部６２のそれぞれは、突起６４および開口部６６を含み得る。開口部６６は、例えば、図４Ａおよび図４Ｂに示されるように、くぼみであり得る。いくつかの他の実施形態では、開口部６６は穴であり得る。いくつかの実施形態では、押しボタンカバー６０および端部６２は、ハンドルまたは取っ手の一部または全部を形成することができる。代替的または追加的に、ロック３０は、押しボタンカバー６０と各端部６２との間のハンドルまたは取っ手に形成された１つまたは複数の任意選択の受容部分６８を含み得る。
【００２６】
図５Ａ乃至図５Ｄは、本明細書に記載の少なくとも１つの実施形態による、クロージャ２６の上方正面斜視図（図５Ａ）、下方正面斜視図（図５Ｂ）、上方背面斜視図（図５Ｃ）、および下方背面斜視図（図５Ｄ）を含む。クロージャ２６は、第１の突起７０、第２の突起７２、第３の突起７４、クロージャ係合部材７６、シール突起７８、および／またはシールシート８０を有し得る。いくつかの実施形態では、クロージャ２６は、第１の突起７０、第２の突起７２、および第３の突起７４のすべてを有しなくてもよい。例えば、いくつかの実施形態では、クロージャ２６は、第１の突起７０を有するが、第２の突起７２または第３の突起７４を有しない。いくつかの実施形態では、クロージャ２６は、第２の突起７２を有するが、第１の突起７０または第３の突起７４を有しない。いくつかの実施形態では、クロージャ２６は、第３の突起７４を有するが、第１の突起７０または第２の突起７２を有しない。いくつかの実施形態では、クロージャ２６は、第１の突起７０および第２の突起７２を有するが、第３の突起７４を有しない。いくつかの実施形態では、クロージャ２６は、第１の突起７０および第３の突起７４を有するが、第２の突起７２を有しない。いくつかの実施形態では、クロージャ２６は、第２の突起７２および第３の突起７４を有するが、第１の突起７０を有しない。いくつかの実施形態では、クロージャは、第１の突起７０、第２の突起７２、または第３の突起７４のいずれも有しない。第１の突起７２、第２の突起７４、または第３の突起７４を有する実施形態は、各タイプの突起のうちの２つを参照して示され、かつ説明され得るが、いくつかの実施形態は、単一の第１の突起７０、単一の第２の突起７２、または単一の第３の突起７４のみを有し得るし、３つ以上の第１の突起７０、３つ以上の第２の突起７２、または３つ以上の第３の突起７４を有し得る。
【００２７】
図６Ａおよび図６Ｂは、本明細書に記載の少なくとも１つの実施形態による、蓋開口シール３８の上方正面斜視図（図６Ａ）および下方正面斜視図（図６Ｂ）を含む。蓋開口シール３８は、ベース８２、ベース８２から下向きに延びる第１および第２のシール部分８４および８６、ならびにベース８２を通過して少なくとも部分的に第２のシール部分８６に進入する開口８８を有し得る。
【００２８】
蓋開口シール３８のベース８２は、クロージャ２６のシールシート８０に受容されるようなサイズおよび構成であり得る。例えば、ベース８２は、クロージャ２６のシールシート８０と相補的な形状を有し得る（図５Ｄを参照）。代替的または追加的に、蓋開口シール３８は、弾性または少なくとも部分的に弾性のある材料で形成され得、シールシート８０と比較して若干大きいサイズを有し得る。したがって、蓋開口シール３８は、シールシート８０に適合するように部分的に圧縮され得、部分圧縮は、摩擦ばめを介してクロージャ２６に接続されたシールシート８０を保持するため、ベース８２をシールシート８０に対して付勢し、ベース８２とシールシート８０との間の摩擦を増加させる（圧縮なしと比較して）。
【００２９】
蓋開口シール３８の第１のシール部分８４は、注ぎ口４４の開口５０Ｂをシールするように構成され得る。例示的な実施形態では、第１のシール部分８４は、開口部５０Ｂの上面の下の開口部５０Ｂの内面に対してシールするために、注ぎ口４４の開口部５０Ｂに少なくとも部分的に挿入されるようなサイズおよび構成を有し得る。代替的または追加的に、第１のシール部分８４は、開口部５０Ｂの上面に対してシールすることができる。
【００３０】
蓋開口シール３８の第２のシール部分８６は、注ぎ口４４の開口５０Ａをシールするように構成され得る。例示的な実施形態では、第２のシール部分８４は、開口部５０Ａの上面の下の開口部５０Ａの内面に対してシールするために、注ぎ口４４の開口部５０Ａに少なくとも部分的に挿入されるようなサイズおよび構成を有し得る。代替的または追加的に、第２のシール部分８６は、開口部５０Ａの上面に対してシールすることができる。
【００３１】
蓋開口シール３８は、開口部５０のそれぞれを独立してシールすることができる。代替的または追加的に、蓋開口シール３８は、開口部５０を一緒に集合的にシールするように構成され得る。例えば、蓋開口シール３８は、例えば開口部５０の内壁（例えば、開口部５０Ａから開口部５０Ｂを分離する注ぎ口４４の内壁）に対するシールの有無にかかわらず、注ぎ口４４の外壁の上面に対してシールすることができる。代替的または追加的に、蓋開口シール３８は、注ぎ口４４の外壁の外面に対してシールすることができる。
【００３２】
蓋開口シール３８の開口８８は、クロージャ２６のシール突起７８をその内部に受容するようなサイズおよび構成を有し得る（図５Ｄを参照）。例えば、開口部８８は、シール突起７８と相補的な形状を有し得る。開口部８８の内側にクロージャ２６のシール突起７８を配置することは、蓋開口シール３８とクロージャ２６との間の摩擦接続を改善および／または増加させ、および／または第２のシール部分８６を固くし得る。例えば、シール突起７８を含むクロージャ２６は、剛性または半剛性の材料、または蓋開口シール３８よりも高い剛性を有する他の材料を含み得る。シール突起７８がない場合、第２のシール部分８６は、注ぎ口４４の開口部５０Ａに挿入されたときに座屈したり、しわができたり、または変形する傾向があり、それにより開口部５０Ａのシールが低下し得る。第２のシール部分８６内に少なくとも部分的にシール突起７８が存在することにより、第２のシール部分８６が固くなることにより、第２のシール部分８６が座屈したり、皺ができたり、または開口部５０Ａのシールを妨げるような変形が生じる可能性を低減し得る。
【００３３】
蓋開口シール３８は、クロージャ２６とは別個の構成要素として提供され得る。代替的または追加的に、蓋開口シール３８は、クロージャ２６と一体的に形成され得、および／またはクロージャ２６に接続され得る。
【００３４】
図７Ａ乃至図７Ｄは、本明細書に記載の少なくとも１つの実施形態に係る押しボタン２８の上方正面斜視図（図７Ａ）、下方背面斜視図（図７Ｂ）、正面図（図７Ｃ）、および背面図（図７Ｄ）を含む。押しボタン２８は、押しボタン係合部材９０、接触部分９２、突起９４、および／またはそれぞれが少なくとも１つの保持タブ９８を有する１つまたは複数のアーム９６を有し得る。
【００３５】
図３Ａおよび図７Ａ乃至図７Ｄを参照すると、保持タブ９８は、容器上部２４の押しボタン凹部５４内に押しボタン２８を保持するように構成され得る。保持タブ９８のそれぞれは、一般に、アーム９６の対応する１つから外側に延びることができる。アーム９６のそれぞれは、押しボタン２８が押しボタン凹部５４に挿入されて押しボタン２８を容器上部２４と一緒に組み立てるときに、内側に弾性的に屈曲するように可撓性または半可撓性を有し得る。各保持タブ９８の前面９８Ａが押しボタン凹部５４の各空洞５５の対応する背面をクリアした後、各アーム９６は、保持タブ９８が空洞５５内に保持されるように、少なくとも部分的に外側に曲がらない状態とすることができる。各保持タブ９８の前面９８Ａが押しボタン凹部５４の各空洞５５の対応する後面に係合する点を超えて容器上部２４に対して前方に移動することができない状態で、押しボタン２８は、限定された容積内で容器上部２４に対して依然として移動可能である。
【００３６】
図８は、本明細書に記載の少なくとも１つの実施形態による、ボタン付勢ス部材３４の上方斜視図である。ボタン付勢部材３４は、第１の端部１００および第２の端部１０２を有し得る。容器の蓋１２が一緒に組み立てられるとき、押しボタン２８の突起９４がボタン付勢部材３４の第１の端部１００に受容され、容器上部２４の突起５６がボタン付勢部材３４の第２の端部１０２に受容された状態で、ボタン付勢部材３４は、押しボタン２８と容器上部２４との間に配置され得る。一般に、ボタン付勢部材３４は、例えば、押しボタン２８の各保持タブ９８の前面９８Ａが、容器上部２４の押しボタン凹部５４の各空洞５５の対応する後面に係合する点まで、容器上部２４に対して押しボタン２８を前方に付勢するように構成され得る。図８は、コイルばねを含む例示的なボタン付勢部材３４を示しているが、ボタン付勢部材３４は、他の形態を有することができ、様々な材料のうちの１つまたは複数の材料で形成することができる。例えば、ボタン付勢部材３４は、金属、ポリマー、または他の材料のうちの１つまたは複数を含むことができ、コイル以外の形状を有し得る。
【００３７】
図９は、本明細書に記載の少なくとも１つの実施形態による、クロージャ付勢部材３６の上方斜視図である。クロージャ付勢部材３６は、第１の端部１０４、第２の端部１０６、およびクロスバー１０８を有し得る。クロージャ付勢部材３６の第１の端部１０４は、第１の足１１０を有し得、クロージャ付勢部材３６の第２の端部１０６は、第２の足１１２を有し得る。図９は、例示的なクロージャ付勢部材３６を示しているが、クロージャ付勢部材３６は、他の形態を有することができ、１つまたは複数の様々な材料で形成することができる。例えば、クロージャ付勢部材３６は、金属、ポリマー、または他の材料のうちの１つまたは複数を含むことができ、本明細書に図示および記載されたもの以外の形状を有することができる。
【００３８】
図１Ａ乃至図４Ｂを参照すると、ロック３０は、ロック位置とロック解除位置との間の移動のために、容器上部２４、クロージャ２６、またはその両方に移動可能に接続され得る。例えば、ロック３０は、容器上部２４、クロージャ２６、またはその両方に回転可能に接続され得る。ロック３０は、例えば、ロック３０の回転軸を規定し得るピボットマウント４６を介して、容器上部２４に回転可能に接続され得る。図示の実施形態では、ピボットマウント４６のそれぞれは、ロック３０の突起６４の対応する１つを受容するように構成された開口５２の対応する１つを規定する。ロック３０の突起６４は、動作中にピボットマウント４６の開口５２に受容されて保持され、ロック３０が容器上部２４に対して回転することを可能にする。
【００３９】
図１Ａ乃至図５Ｄを参照すると、クロージャ２６は、容器上部２４に直接または間接的に移動可能に接続され得る。例えば、クロージャ２６は、容器上部２４に回転可能に接続され得る。クロージャ２６は、例えば、ロック３０および容器上部２４のピボットマウント４６を介して、容器上部２４に回転可能に接続され得る。図示の実施形態では、ロック３０の端部６２のそれぞれは、クロージャ２６の突起７０の対応する１つを受容するように構成された開口６６の対応する１つを規定する。クロージャ２６の突起７０は、使用中にロック３０の開口６６に受容および保持され、ロック３０が回転可能に容器上部２４に接続されている場合、クロージャ２６がロック３０及び容器上部２４に対して回転することを許容する。いくつかの実施形態では、クロージャ２６は、ロック３０と同じ回転軸の周りで容器上部２４に対して回転可能である（例えば、クロージャ２６およびロック３０は、容器上部２４に対して、かつ同じ軸の周りで互いに回転することができる）。他の実施形態では、クロージャ２６は、ロック３０とは異なる回転軸を中心に、容器上部２４に対して回転することができる。
【００４０】
クロージャ２６は、単独で、または蓋開口シール３８と組み合わせて、注ぎ口４４および／または蓋開口部５０の１つまたは複数（例えば、すべて）を選択的に覆ったり、閉じたり、および／またはシールしたりするように構成され得る。クロージャ２６は、第１の位置と第２の位置との間で、容器上部２４に対して移動可能であり、任意選択で回転可能である。第１の位置では、注ぎ口４４および／または蓋開口部５０の１つまたは複数（例えば、すべて）は、クロージャ２６のみによって、または蓋開口シール３８と組み合わせて、覆われたり、閉じられたり、および／または密封されたりする。第２の位置では、注ぎ口４４および／または蓋開口部５０の１つまたは複数（例えば、すべて）は、クロージャ２６によって露出されたり、カバー解除されたり、開放されたり、および／またはシール解除されたりする。
【００４１】
図１Ａ乃至図５Ｄおよび図７Ａ乃至図７Ｄを参照すると、押しボタン２８は、容器上部２４およびクロージャ２６のうちの１つまたは複数に移動可能に接続され得、クロージャ２６を第１の位置に選択的に保持するように構成され得る。上述したように、例えば、押しボタン２８のアーム９６および／または保持タブ９８は、容器上部２４に対して押しボタン２８の少なくともいくらかの動きを許容しながら、押しボタン２８を少なくとも部分的に押しボタン凹部５４内に保持すべく、容器上部２４の押しボタン凹部５４の空洞５５と協働し得る。他の実施形態では、類似の構成を実施して、押しボタン２８をクロージャ２６に移動可能に接続することができる。
【００４２】
いくつかの押しボタン機構では、押しボタンは、別の構成要素に対して、自由に動いたり、回転可能であったり、またはスライド可能（例えば、トラック上またはトラック内）であり得る。少なくとも１つの実施形態では、押しボタン２８は、前述の２つ以上の組み合わせを含む、容器上部２４に対してハイブリッド配置を有することができる。例えば、押しボタン２８は、一実施形態では、容器上部２４に対して自由に浮遊し、かつ回転可能の両方であり得る。より一般的には、押しボタン２８は、容器上部２４に対して押しボタン凹部５４内で自由に浮遊することと、容器上部２４に対して押しボタン凹部５４内でスライド可能であることと、容器に対して押しボタン凹部５４内で回転可能であることとのうち少なくとも１つの組み合わせからなる。
【００４３】
押しボタン２８は、容器上部２４およびクロージャ２６に関して、ラッチ位置（すなわち、押されていない位置）とラッチ解除位置（すなわち、押された位置）との間で移動可能であり得る。押しボタン２８は、注ぎ口４４および／または１つまたは複数の開口部５０が閉じられたり、覆われたり、および／または密封されたりするクロージャ２６の第１の位置にクロージャ２６を選択的に保持するように構成され得る。例えば、押しボタン２８がラッチ位置にあり、クロージャ２６が第１の位置にあるとき、押しボタン２８は、クロージャ２６を第１の位置に保持することができる。これらおよび他の実施形態では、押しボタン２８の少なくとも一部は、クロージャ２６が第１の位置にあるときにクロージャ２６の少なくとも一部と係合して、クロージャ２６を第１の位置に保持することができる。代替的または追加的に、押しボタン２８がクロージャ２６に移動可能に接続される少なくとも１つの実施形態では、クロージャ２６が第１の位置にあるときにクロージャ２６を第１の位置に選択的に保持すべく、押しボタン２８の少なくとも一部は、容器上部２４の少なくとも一部と選択的に係合し得る。
【００４４】
ラッチ解除位置では、押しボタン２８は、クロージャ２６が第１の位置にあるとき、またはクロージャ２６が他の任意の位置にあるときに、クロージャ２６から外されてもよい。したがって、押しボタン２８がラッチ解除位置にあるとき、クロージャ２６は、押しボタン２８からの干渉なしに、自由に第１の位置に留まるか、または第２の位置に移動することができる。
【００４５】
クロージャ付勢部材３６は、クロージャ２６を第２の位置に付勢するように構成され得る。例えば、押しボタン２８がラッチ解除位置にあるとき、クロージャ付勢部材３６は、クロージャ２６を第１の位置から第２の位置に自動的に移動させることができる。これに関して、クロージャ２６が第１の位置にあるとき、クロージャ付勢部材３６に負荷がかかり、クロージャ２６が第２の位置にあるとき、クロージャ付勢部材３６に負荷がかからないか、または少なくとも第１の位置よりも負荷が少なくなるように、クロージャ付勢部材３６の第１および第２の足１１０、１１２は、端壁４０または容器上部２４の他の部分と係合可能であり、クロージャ付勢部材３６のクロスバー１０８は、クロージャ２６と係合可能である。
【００４６】
ロック３０は、押しボタン２８の動作を選択的に禁止するように構成され得る。ロック３０がロック位置にあるとき、押しボタン２８の操作を禁止することができる。例えば、ロック３０がロック位置にあるとき、ロック３０は、押しボタン２８のラッチ位置からラッチ解除位置への移動を禁止するように構成され得る。ロック３０がロック解除位置にあるとき、押しボタン２８の操作は禁止されない場合がある。例えば、ロック３０がロック解除位置にあるとき、ロック３０は、押しボタン２８のラッチ位置からラッチ解除位置への移動を干渉したり、阻害したりしない。
【００４７】
図１０Ａ乃至図１０Ｃは、本明細書に記載の少なくとも１つの実施形態による、図２Ａの容器の蓋１２の一部の側断面図を含む。図１０Ａは、ビュー１１４Ａを含み、図１０Ｂは、ビュー１１４Ｂを含み、図１０Ｃは、ビュー１１４Ｃを含む。ロック３０は、ロック位置にあるビュー１１４Ａおよび１１４Ｂに示されているが、ロック解除位置にあるビュー１１４Ｃには示されていない。
【００４８】
ビュー１１４Ａおよび１１４Ｂとビュー１１４Ｃとの比較から、ロック３０がロック解除位置にあるとき、押しボタン２８の接触部分９２にアクセスできることが分かる。比較すると、ロック３０がロック位置にある場合、押しボタン２８の接触部分９２は、ロック３０によって、特にロック３０の押しボタンカバー６０によって、少なくとも部分的に隠されたり、ブロックされたり、または覆われたりし得るか、さもなければ少なくとも部分的にアクセスできなくなる。ロック３０がロック解除位置にあるとき、例えばユーザの指または親指によって接触部分９２に開放力を加えて、押しボタン２８をラッチ位置からラッチ解除位置に移動させることができる。
【００４９】
押しボタン２８は、ラッチ位置のビュー１１４Ａおよびラッチ解除位置のビュー１１４Ｃに示されている。図示のように、押しボタン２８の押しボタン係合部材９０は、クロージャ２６のクロージャ係合部材７６と選択的に係合して、クロージャ２６を第１の位置に選択的に保持することができる。特に、ラッチ位置で、ビュー１１４Ａに示されるように、押しボタン係合部材９０は、クロージャ係合部材７６と係合して、クロージャ２６を第１の位置に保持する。ラッチ解除位置では、ビュー１１４Ｃに示されるように、押しボタン係合部材９０は、押しボタン２８が第１の位置にクロージャ２６を保持しないように、クロージャ係合部材７６から解放される。
【００５０】
ビュー１１４Ａに示されるように、押しボタン２８がラッチ位置にあり、かつクロージャ２６が第１の位置にある場合、押しボタン２８の一部（例えば、接触部分９２の下部後部１１６）は、第１の距離ｄ１だけ容器上部２４のボタンストップ１１８から水平方向に離間され得る。さらに、押しボタン２８がラッチ位置にあり、クロージャ２６が第１の位置にあるとき、押しボタン係合部材９０は、係合距離ｄｅだけクロージャ係合部材７６と水平方向に重なることができる。ビュー１１４Ａに示されるように、係合距離ｄｅは、第１の距離ｄ１よりも大きくなり得る。したがって、ビュー１１４Ｂに示されるように、押しボタン２８が、（例えば、接触部分９２の下部後部１１６において）第１の距離ｄ１を介して、押しボタン２８が容器上部２４のボタンストップ１１８に接触するまで容器上部２４に向かって水平方向のみに移動される場合、押しボタン係合部材９０は、クロージャ２６が第１の位置に留まることができるように、クロージャ係合部材７６と係合したままである。
【００５１】
第１の距離ｄ１が係合距離ｄｅよりも小さいにもかかわらず、押しボタン係合部材９０は、押しボタン２８の並進移動（例えば、水平移動）および回転の任意の組み合わせによって、係合距離ｄを移動することができる。例えば、ビュー１１４Ａおよび１１４Ｃは共に、押しボタン２８が水平方向に並進移動し（例えば、図１０Ａのビュー１１４Ａから図１０Ｂのビュー１１４Ｂへと右に）、容器上部２４に対して回転（例えば、図１０Ｂのビュー１１４Ｂから図１０Ｃのビュー１１４Ｃへ時計回りに）することを示しており、押しボタン係合部材９０がクロージャ係合部材７６に対して係合距離ｄｅにわたって水平方向に移動することを許容することにより、押しボタン２８をビュー１１４Ａに示されるラッチ位置からビュー１１４Ｃに示されるラッチ解除位置まで移動させる。
【００５２】
ビュー１１４Ｃでは、押しボタン２８は、ビュー１１４Ａおよび１１４Ｂと比較して約４度回転している。ラッチ位置からラッチ解除位置に到達するための回転量は、押しボタン２８と容器上部２４との間で許容される水平移動の量に依存し得る。所定の係合距離ｄについて、押しボタン２８の水平方向の並進が大きいほど（例えば、図１０Ａの例では第１の距離ｄ１が大きいほど）、ラッチ解除位置に到達する押しボタン２８の回転が少なくなる。一般に、押しボタン２８は、容器上部２４に対して、約０から１０度の間（例えば、約２度から１０度の間）、または約０から７度の間（例えば、約２から７度）、または約０から５度の間（例えば、約２度から５度の間）で回転するように構成され得る。いくつかの実施形態では、押しボタン係合部材９０がクロージャ係合部材７６に対して係合距離ｄｅを移動することによって、押しボタン２８をラッチ解除位置に移動させるために、押しボタン２８の回転は必要とされない。いくつかの実施形態では、押しボタン係合部材９０がクロージャ係合部材７６に対して係合距離ｄｅを移動することによって、押しボタン２８をラッチされていない位置に移動させるために、押しボタン２８の並進移動は必要とされない。
【００５３】
さらに、所定の実施の範囲内で、押しボタン２８が補償するためにさらに回転することができるならば、押しボタン２８は、ラッチ解除位置に到達するために第１の距離ｄ１全体にわたって並進移動する必要はない。例えば、ビュー１１４Ａと比較したビュー１１４Ｃでは、押しボタン２８の接触部分９２の下部後部１１６は、第１の距離ｄ１全体を移動し、押しボタン２８は４度回転してラッチ解除位置に到達する。しかしながら、ラッチ解除位置は、第１の距離ｄ１の９０％のみといったように、下部後部１１６が第１の距離ｄ１の一部のみを並進移動し、かつ押しボタン２８が４度を超えて（例えば、５または６度）回転することによっても到達可能である。したがって、押しボタン２８のラッチ解除位置は、必ずしも容器上部２４に対する押しボタン２８の単一の位置および向き（例えば、ビュー１１４Ｃに示される位置および向き）を指す必要はなく、押しボタン２８がクロージャ２６から外れる、容器上部２４に対する押しボタン２８の任意の位置および向きを指す。同様の解釈が、本明細書に記載されている他の位置に適用され得る。
【００５４】
ビュー１１４Ａおよび１１４Ｂに示されるように、ロック位置にあるロック３０、特にロック３０の押しボタンカバー６０は、押しボタン２８の少なくとも一部１２０を覆い隠したり、ブロックしたり、覆ったりして、即ち概してアクセスできないようにする。ロック３０の押しボタンカバー６０は、穴または開口部（例えば、装飾用の穴または開口部）を有してもよいし、および／またはロック３０の押しボタンカバー６０は、ロック３０が隠されたり、ブロックされたり、覆われたり、および／または概してユーザがアクセスできない状態でロック位置にある場合に、押しボタン２８の部分１２０が少なくとも部分的に見えるように、光学的に透明な材料で形成されてもよい。
【００５５】
隠されたり、ブロックされたり、覆われたり、および／または一般にアクセスできない押しボタン２８の部分１２０は、例えば、押しボタン２８の上半分、または押しボタン２８の回転運動の軸と反対側の押しボタン２８の半分など、押しボタン２８の少なくとも半分を含み得る。代替的または追加的に、部分１２０は、例えば、接触部分９２の少なくとも上半分、または押しボタン２８の回転運動の軸と反対側の接触部分９２の半分など、接触部分９２の少なくとも半分を含み得る。代替的または追加的に、部分１２０は、押しボタン２８または接触部分９２の重心を含み得る。代替的または追加的に、部分１２０は、押しボタン２８の中心または中心軸、接触部分９２の中心または中心軸、ボタン付勢部材３４の中心または中心軸、および／もしくは押しボタン２８の突起の中心または中心軸を含み得る。代替的または追加的に、部分１２０は、突起９４またはボタン付勢部材３４をボタンの移動経路に沿って接触部９２上に投影した部分を含み得る。代替的または追加的に、部分１２０は、ボタン付勢部材３４の重心および／または押しボタン２８の突起９４の重心をボタンの移動経路に沿って接触部９２上に投影した部分を含み得る。もしくは、代替的または追加的に、部分１２０は、押しボタン２８の他の部分を含み得る。
【００５６】
ロック３０がロック位置にある状態では、押しボタン２８をラッチ位置からラッチ解除位置まで移動させるには、接触部分９２のアクセス可能な部分（ロック３０の押しボタンカバー６０によって隠されていなかったり、ブロックされていなかったり、覆われていなかったり、および／または一般にアクセスできないようにされていない部分）に、大きなおよび／またはかなり大きな力（ロック３０が開放位置にある状態で押しボタン２８をロックでラッチ位置からラッチ解除位置に移動するために使用される力の大きさと比較して）を加える必要がある。例えば、ボタンストップ１１８は支点として機能することができ、例えば、ロック３０がロック位置にあるときにユーザの親指、即ち指にアクセス可能な接触部分９２は、比較的短い最大レバーアームＬＡ１を提供する（ビュー１１４Ａ）。従って、ボタン付勢部材３４によって提供される抵抗により、比較的短い最大レバーアームＬＡ１を考慮して、ロック３０がロック位置にある状態では、アクセス可能な接触部分９２に大きなおよび／またはかなり大きな力を加える必要があり得る（例えば、ビュー１１４Ａに示されるように、接触部分９２のアクセス可能な部分の最上部で）。
【００５７】
比較すると、図１０Ｃのビュー１１４Ｃを参照すると、ロック３０がロック解除位置にあるとき、アクセス可能であり、かつ部分１２０内にある接触部分９２の範囲（例えば、最上部範囲）は、はるかに長いレバーアームＬＡ２（図１０Ｃのビュー１１４Ｃを参照）を提供する。したがって、ロック３０がロック解除位置にあるときに、押しボタン２８をラッチ位置からラッチ解除位置に移動させるためにアクセス可能な接触部分９２の最上部に加えられる力の大きさは、ロック３０がロック位置にあるときに、押しボタン２８をラッチ位置からラッチ解除位置に移動させるためにアクセス可能な接触部分９２の最上部に加えられる力よりもずっと小さい。したがって、例えば、ユーザの指または親指もしくは他の身体部分が押しボタン２８の部分１２０に開放力を加えることを禁止することによって、あるいは押しボタン２８の部分１２０へのユーザによるアクセスを禁止することによって、ロック位置にあるロック３０は、押しボタン２８がラッチ位置からラッチ解除位置へ移動することを禁止するか、そうでなければ押しボタン２８の動作を禁止することができる。代替的または追加的に、ロック３０および／または１つまたは複数の介在する構成要素は、ロック３０がロック位置にあるときに押しボタン２８と係合して、押しボタン２８のラッチ位置からラッチ解除位置への移動を禁止し得る。
【００５８】
図１１Ａ乃至図１１Ｃは、それぞれ本明細書に記載の少なくとも１つの実施形態に係り、ロック３０がロック位置（図１１Ａ）にある、ロック３０が第１のロック解除位置（図１１Ｂ）にある、およびロック３０が第２のロック解除位置（図１１Ｃ）にある容器の蓋１２の側面図を含む。図１２は、本明細書に記載の少なくとも１つの実施形態による、ロック３０がロック位置にある容器の蓋１２の正面から見た一部断面斜視図を含む。図１１Ｂおよび図１１Ｃのロック解除位置を、便宜上、この説明では「第１の」ロック解除位置（図１１Ｂ）および「第２の」ロック解除位置（図１１Ｃ）として参照する。いくつかの実施形態は、複数のロック解除位置を区別することなく、ロック位置およびロック解除位置のみを含む。さらに、いくつかの実施形態は、図１１Ｃに示され、以下により詳細に説明される第２のロック解除位置を含むが、図１１Ｂに示され、以下により詳細に説明される別個の第１のロック解除位置を含まない。
【００５９】
図４Ａ乃至図５Ｄ、図１１Ａ、および図１２を参照すると、ロック３０がロック位置にあるとき、クロージャ２６の第２の突起７２は、ロック３０の少なくとも一部の上方に配置されてもよいし、受容部分６８が存在する場合には受容部分６８の上方にあってもよい。第２の突起７２は、ロック３０がロック位置から外れて移動することを妨ぐためにロック３０と干渉し得る。例えば、ロック３０は、突起７２を越えてロック位置から外れて移動するためには屈曲または変形する必要がある。
【００６０】
図４Ａ乃至図５Ｄおよび図１１Ｂを参照すると、ロック３０が第１のロック解除位置にあるとき、クロージャ２６の第２の突起７２は、ロック３０の受容部分６８内に配置され、係合することができる。上記のように、いくつかの実施形態は、第１のロック解除位置を含まないため、そのような実施形態では、ロック３０は、受容部分６８を含まなくてもよい。このような実施形態および他の実施形態では、ロック３０がロック位置からロック解除位置に移動すると、ロック３０は、外側に湾曲するか、さもなければロック３０がクロージャ２６の第２の突起７２を通過するときに弾性変形することができる。第２の突起７２が受容部分６８に到達すると、ロック３０は、少なくとも部分的に湾曲しないか、そうでなければ少なくとも部分的に変形していない状態に戻ることができ、その結果、第２の突起７２は、受容部分６８内に少なくとも部分的に配置され、任意選択で受容部分６８と嵌合して係合して、ロック３０およびクロージャ２６を効果的に一緒に接続する。いくつかの実施形態では、ロック３０が第１のロック解除位置にあり、ロック３０およびクロージャ２６が一緒に接続されている場合、ロック３０およびクロージャ２６は、容器上部２４に対して依存的に回転可能であり得る。すなわち、ロック３０が第１のロック解除位置にあり、ロック３０およびクロージャ２６が第２の突起７２および受容部分６８を介して一緒に接続される場合、ロック３０またはクロージャ２６の回転は、ロック３０およびクロージャ２６の他方の回転を引き起こし得る。
【００６１】
第２の突起７２および受容部分６８を有するいくつかの実施形態では、第２の突起および受容部分は、ロック３０がロック解除位置ではなくロック位置にあるときに、第２の突起７２が受容部分６８に受容されるように配置され得る。いくつかの実施形態では、クロージャ２６は、複数の組の第２の突起７２を有してもよく、各組は１つまたは複数の第２の突起７２を含み、各組は、ロック３０に対してクロージャ２６の異なる位置でロック３０の複数の受容部分６８に受容されるように配置される。例えば、第２の突起７２の第１の組は、ロック３０がロック位置にあるときに受容部分６８に受容され得、第２の突起７２の第２の組は、ロック３０がロック解除位置にあるときに受容部分６８に受容され得る。追加的または代替的に、ロックは、第２の突起の組と組との間に配置され得る。
【００６２】
クロージャ２６上の第２の突起７２およびロック３０上の受容部分６８の位置は逆にすることができ（例えば、ロック３０上の第２の突起７２およびクロージャ２６上の受容部分６８）、および／または他の接続構造が、ロック３０とクロージャ２６を選択的に接続するために提供されてもよい。例えば、クロージャ２６によって構成される第２の突起７２の複数の組は、受容部分６８の組によって置き換えられ得る。いくつかの実施形態は、第１のロック解除位置を含まない。例えば、いくつかの実施形態では、ロック３０は、受容部分６８を有しない。
【００６３】
図４Ａ乃至図５Ｄおよび図１１Ｃを参照すると、いくつかの実施形態では、ロック３０が第２のロック解除位置にあるとき、ロック３０は、ハンドルまたは取っ手としての使用に適する。第２のロック解除位置では、第２の突起７２が受容部分６８内に位置せず、ロック３０がクロージャ２６と係合してないように、（受容部分６８が含まれる場合には）受容部分６８を含むロック３０の少なくとも一部は、（第２の突起７２が含まれる場合に）第２の突起７２の上方に配置されてもよい。いくつかの実施形態では、ロック３０が第２のロック解除位置にあるとき、ロック３０およびクロージャ２６は、容器上部２４に対して独立して回転可能であり得る。
【００６４】
図１１Ｃに示される第２のロック解除位置では、ロック３０は、図１１Ａのロック位置と比較して時計回りに約９０度回転されている。より一般的には、第２のロック解除位置は、ロック３０が通過した、例えば（第２の突起７２が含まれている場合に）第２の突起７２を超えてロック３０が回転した任意の位置であり得る。
【００６５】
いくつかの実施形態では、第２の突起７２および第３の突起７４のそれぞれは、クロージャ２６の移動とともに、ロック３０に係合し、ロック３０を後方に（例えば、図１１Ａ乃至図１１Ｃでは時計回りに）移動することができる。また、第２の突起７２は、クロージャ２６の移動とともに、ロック３０と係合し、ロックを前方に（例えば、図１１Ａ乃至図１１Ｃでは反時計回りに）移動させることができる場合がある。例えば、クロージャ２６が第１の位置から外れている状態で、例えば第２の位置にある状態で、突起７４が存在する場合、クロージャ２６の第２の突起７２と第３の突起７４との間にロック３０が位置するように、ロック３０がクロージャ２６に対して配置され得る（たとえば、図５Ａおよび図５Ｂを参照）。この相対的構成において、もしクロージャ２６が後方に回転された場合（例えば、図１１Ａ乃至図１１Ｃでは時計回り）、第３の突起７４はロック３０と係合することができ、もしクロージャ２６が前方に回転した場合（例えば、図１１Ａ乃至図１１Ｃでは反時計回り）、ロック３０がクロージャ２６と共に後方に回転し、第２の突起７２がロック３０と係合することができる。
【００６６】
また、例えば、クロージャ２６が第１の位置から外れいる状態で、例えば第２の位置にある場合、突起７２が少なくとも部分的にロック３０の受容部分６８（受容部分６８が存在する場合）内に位置するように、ロック３０がクロージャ２６に対して配置され得る。この相対的な構成（ロック３０の第１のロック解除位置に対応し得る）において、もしクロージャ２６が後方または前方に回転した場合（図１１Ａ乃至図１１Ｃにおいて時計回りまたは反時計回り）、第２の突起７２は、（例えば、受容部分６８を介して）ロック３０と係合し得る。
【００６７】
また、例えば、クロージャ２６が第１の位置から外れている状態で、例えば第２の位置にある状態で、ロック３０が第２の突起７２を超えて位置するようにロック３０はクロージャ２６に対して配置され得る（例えば（第３の突起７４が存在する場合に）第３の突起７４から第２の突起７２の反対側において、図１１Ａ乃至図１１Ｃにおける時計回り方向に第２の突起７２を超えた位置にロック３０が配置され得る）。この相対的な構成（ロック３０の第２のロック解除位置に対応し得る）において、第２の突起７２がロック３０と接触してロック３０がクロージャ２６と共に後方に回転するのに十分なほど、クロージャ２６が後方に（例えば、図１１Ａ乃至図１１Ｃにおいて時計回りに）回転した場合、第２の突起７２はロック３０と係合し得る。しかしながら、クロージャ２６が前方に回転する場合にクロージャ２６がロック３０を前方に回転させないように、クロージャ２６が前方回転（例えば、図１１Ａ乃至図１１Ｃにおいて反時計回り）しても、クロージャ２６はロック３０と係合しなくてもよい。
【００６８】
いくつかの実施形態では、使用中、ユーザは、ロック３０をロック位置からロック解除位置（例えば、第２のロック解除位置）に移動することができ、ロック３０は、容器上部２４およびクロージャ２６から独立して自由に回転することができる。ロックがそのようなロック解除位置にある状態で、ユーザは、押しボタン２８を押してクロージャ２６を解放し、クロージャ２６が第１の（閉）位置から第２の（開）位置に自由に移動できるようにすることができる。その後、ユーザは、任意選択で、第２の突起７２がロック３０を越えて回転し、ロック３０が第２の突起７２と第３の突起７４との間に配置されるように、クロージャ２６およびロック３０を互いに対して回転させることができる。それにより、ロック３０をクロージャ２６と係合させ、クロージャ２６およびロック３０の動きを一緒に結合する（ロック３０およびクロージャ２６は、同様に解放され得る）。このようにして、ユーザがクロージャ２６を第１の位置に移動することによってクロージャ２６を閉じると、クロージャ２６と係合したロック３０は、クロージャ２６と共に移動してロック位置に移動する。ロック３０がクロージャ２６と係合すると、ロック及びクロージャの両方がそれらの共有軸の周りで一緒に回転することができる。ロック３０がクロージャ２６から外れると（例えば、第２の突起７２または第３の突起７４が存在する場合にはそれらと接触せず）、ロック３０およびクロージャ２６は、軸の周りで独立して回転することができる。
【００６９】
本明細書で説明される実施形態は、特許請求の範囲に係る実施形態の範囲を変更することなく、様々な方法で変更することができる。一般に、例えば、互いに係合する、または一緒に動作するとして開示されるいくつかの特徴または構成要素は、逆にされたり、修正されたり、または機能的に同等な物に置き換えられてもよい。上述したように、例えば、クロージャ２６上の第２の突起７２の位置とロック３０上の受容部分６８の位置とは、第２の突起がロック３０上に位置し、受容部分６８がクロージャ上に位置するように逆にすることができる。同様に、ロック３０上の突起６４の位置と容器上部２４上の開口５２の位置とは、突起６４が容器上部２４上に位置し、開口５２がロック３０上に位置するように逆にすることができる。同様に、ロック３０上の開口部６６の位置とクロージャ２６上の第１の突起７０の位置とは、開口部６６がクロージャ２６上に位置し、第１の突起７０がロック上に位置するように逆にすることができる。あるいは、クロージャ２６の第１の突起７０は、ロック３０の貫通穴開口部を通って容器上部２４の開口部５２まで完全に延びてもよく、または容器上部２４の突起は、ロック３０の貫通穴開口部を通ってクロージャ２６の開口部まで完全に延びてもよい。あるいは、ロック３０は、端部６２の一方または両方に、１つの内向き突起および１つの外向き突起を有し得、これら突起の各々は、容器上部２４またはクロージャ２６の対応する開口部または受容部分に受容されるように構成される。あるいは、ロック３０および／またはクロージャ２６は、ピン蝶番、リビングヒンジ、または他のデバイスまたはシステムなどの他の適切な機構を使用して、容器上部２４に回転可能に接続され得る。
【００７０】
ロック３０は、取っ手として示されているが、これに代えて、ロック３０が容器上部２４および押しボタン２８に対して移動可能であり、押しボタン２８の動作を選択的に禁止するという条件で、他の適切な方法で実施することができる。例えば、ロック３０が押しボタン２８へのアクセスおよび／または押しボタン２８の操作を選択的に覆ったり、覆い隠したり、ブロックしたり、または禁止したりするように、ロック３０は、押しボタン２８の一方の側に容器上部２４に回転可能に接続またはスライド可能に接続されたバーであって、押しボタン２８の他方の側にスナップ接続または他の接続部を備えてロックを選択的に保持するバーを含み得る。本開示の範囲内でのロック３０は、他の態様で実施可能である。
【００７１】
ボタン付勢部材３４およびクロージャ付勢部材３６は、螺旋コイルばねを含むものとしていくつかの図に示されている。ボタン付勢部材３４およびクロージャ付勢部材３６は、実施態様に応じて、他の実施形態では他の形態をとることができる。例えば、容器の蓋１２の１つまたは複数の構成要素に適切な変更を加えると、ボタン付勢部材３４およびクロージャ付勢部材３６のいずれかが、代替的または追加的に、金属ばね、螺旋コイルばね、捩じりばね、渦巻きばね、板ばね、エラストマーばね、ベルト、または他の適切な付勢部材構成として実装され得る。
【００７２】
容器本体１４は、１つまたは複数の液体および／または固体を保持、保存、および／または貯蔵するようなサイズおよび構成であり得る。特に、容器本体１４は、水、フレーバー水、ビタミン強化水などの液体を貯蔵するために使用される容器またはボトルを含み得る。容器本体１４はまた、果汁飲料、エナジードリンク、喉の渇きを癒すもの、および他のタイプの飲料などの流体および溶液を貯蔵することができる。容器本体１４はまた、粉末、濃縮物、混合物、および食品などの固形物を貯蔵するために使用され得る。
【００７３】
容器本体１４は、任意の適切なサイズであり得る。例えば、容器本体１４は、約２２７グラム（約８オンス）、約２３０グラム（約１２オンス）、約４５４グラム（約１６オンス）、約５６７グラム（約２０オンス）、または約６８０グラム（約２４オンス）（または約２００ｍｌ、３００ｍｌ、４００ｍｌ、５００ｍｌ、６００ｍｌ、７００ｍｌ、８００ｍｌ、９００ｍｌまたは１リットル）を保持してもよい。容器本体１４は、より小さなサイズおよびより大きなサイズを含む、任意の適切なサイズを有し得る。さらに、容器本体１４は、例えば、容器の使用目的に応じて、本明細書に開示されたもの以外の他の形状および構成を有し得る。さらに、容器本体１４は、内容物を所望の温度に保つのを助けるために断熱され得る。容器本体１４は、プラスチック、ガラス、金属、および／または適切な性質および特性を有する他の材料で製造されてもよい。
【００７４】
容器の蓋１２は、少なくとも蓋と容器が一緒に接続されている場合、一般に容器本体１４のサイズおよび形状を補完し得る任意の適切なサイズおよび／または形状を有し得る。さらに、容器の蓋１２は、容器本体１４内の内容物を所望の温度に保つのを助けるために断熱され得る。容器の蓋１２は、プラスチック、ガラス、金属、および／または適切な性質および特性を有する他の材料で製造されてもよい。
【００７５】
ボタン付勢部材３４、クロージャ付勢部材３６、蓋シール３２、および／または蓋開口シール３８は、弾性、展性、可撓性、曲げ可能性、拡張可能性、および／または弾力性を有する材料から構成され得る。例えば、蓋シール３２および／または蓋開口シール３８は、適切な性質および特性を有するシリコーン、ポリマー、ゴム、プラスチック、または他の材料のうちの１つまたは複数から構成され得る。ボタン付勢部材３４およびクロージャ付勢部材３６は、シリコーン、ポリマー、ゴム、プラスチック、鋼または他の金属、または適切な性質および特性を有する他の材料のうちの１つまたは複数を含んでもよいし、および／またはそれら材料から構成されてもよい。蓋開口シール３８の弾力性は、蓋開口部５０との水密シールの形成に寄与することができる。
【００７６】
開示された技術のいくつかの実施形態では、容器は、水、飲み物、飲料、果汁飲料、ビタミン強化飲料、エナジードリンク、喉の渇きを癒すもの、フレーバー水、プロテインドリンク、シェイク、食品、ドレッシング、ソース、流動食の代替品、溶液、懸濁液などなどの１つまたは複数種類の液体を貯蔵、輸送、および／または分配するために使用され得る。容器はまた、溶液および／またはエネルギードリンク、プロテインドリンク、シェイク、流動食の代替品などの固形物を貯蔵、輸送、および／または分配するために使用され得る。
【００７７】
いくつかの実施形態では、容器はシェーカーカップであってもよく、内容物は、サプリメント、ビタミン、プロテインパウダーなどのように、必要に応じて振ったり、攪拌したり、混ぜだり、および／またはブレンドされ得る。これにより、容器を使用してプロテインドリンク、シェイク、スムージー、ドレッシング、ソースなどを作成することが可能である。容器は、水および他の種類の流体が輸送および／または消費され得る水筒として使用され得る。容器はさらに、果物、野菜、スープなどの食品を含むことができる。
【００７８】
有利なことに、いくつかの実施形態では、容器は、再利用可能かつ詰め替え可能でありってもよいため、容器は、長期間にわたって異なる目的のために使用され得る。容器は、持ち運びが簡単で携帯可能である。例えば、容器は、ユーザによって片手で便利に保持され得、および／または取っ手を有し得る。さらに、容器は、内容物をより低いまたはより高い温度のように所望の温度に保つのを補助するために断熱され得る。
【００７９】
いくつかの実施形態では、容器は、製造および組み立てを容易にし得る少数の部品および構成要素を含み得る。いくつかの実施形態では、容器は容易に分解および洗浄することができる。他の箇所で論じられているように、容器は、容器の蓋および／または容器が様々な供給源から容易に満たされることを可能にするクロージャを有し得る。容器、容器本体、および容器の蓋は、例えば、容器の使用目的に応じて、任意の数の部品および構成要素を含み得る。
【００８０】
「態様」などの用語は、そのような態様が対象技術に不可欠であること、またはそのような態様が対象技術のすべての構成に適用されることを意味するものではない。ある態様に関する開示は、すべての構成、または１つまたは複数の構成に適用され得る。態様は、開示の１つまたは複数の例を提供し得る。「態様」などの句は、１つまたは複数の態様を指す場合があり、その逆もあり得る。「実施形態」などの用語は、そのような実施形態が対象技術に不可欠であること、またはそのような実施形態が対象技術のすべての構成に適用されることを意味するものではない。一実施形態に関する開示は、すべての実施形態、または１つまたは複数の実施形態に適用され得る。一実施形態は、本開示の１つまたは複数の例を提供することができる。「実施形態」などの用語は、１つまたは複数の実施形態を指す場合があり、その逆もあり得る。「構成」などの表現は、そのような構成が対象技術に不可欠であること、またはそのような構成が対象技術のすべての構成に適用されることを意味するものではない。構成に関する開示は、すべての構成、または１つまたは複数の構成に適用され得る。構成は、本開示の１つまたは複数の例を提供することができる。「構成」などの句は、１つまたは複数の構成を指す場合があり、その逆もあり得る。
【００８１】
男性の代名詞（例えば、彼）には、女性と中性の性別（例えば、彼女及びその）が含まれ、その逆も同様である。
本開示は、様々な態様の例示として意図されている、本明細書に記載の特定の実施形態に関して限定されるべきではない。その精神と範囲から逸脱することなく、多くの変更及び改変が行われてもよい。前述の説明から、本明細書に列挙されたものに加えて、本開示の範囲内の機能的に同等の方法および装置があり得る。そのような修正および改変は、本開示の範囲内にあることが意図されている。また、本明細書で使用される用語は、特定の実施形態を説明することのみを目的としているものであり、限定することを意図するものではない。さらに、開示が本明細書内に明示的に記載されているか否かに関わらず、本明細書に開示された内容は公共に提供することを意図したものではない。
【００８２】
単数形の要素への言及は、特に明記されていない限り、「１つだけ」を意味するのではなく、「１つ以上」を意味する。本明細書における実質的に任意の複数および／または単数の用語の使用に関して、複数の用語は、単数の用語を含み得、および／または単数の用語は、文脈および／または用途に適切な複数の用語を含み得る。明確にするために、様々な単数形／複数形の順列が本明細書に明示的に記載され得る。「いくつか」という用語は、１つまたは複数を指す。
【００８３】
一般に、本明細書で、特に添付の特許請求の範囲（例えば、請求項の本文）で使用される用語は、一般に「オープン」な用語として意図されている（例えば、「含む」という用語は、「含むがこれに限定されない」と解釈されるべきである。「有している」という用語は「少なくとも有している」と解釈されるべきであり、「含む」という用語は「含むがこれに限定されない」などと解釈されるべきである。導入された請求項の記載に特定の数が意図されている場合、そのような意図は請求項に明示的に記載され、そのような記載がない場合、そのような意図は存在しないことが当業者によってさらに理解される。例えば、理解を助けるために、以下の添付の特許請求の範囲は、請求項の記載を導入するための導入句「少なくとも１つ」および「１つ以上」の使用を含み得る。ただし、そのような句の使用は、たとえ同じ請求項に「1つ以上」または「少なくとも1つ」という導入句が含まれ、「一」または「１つ」などの用語が含まれていたとしても（たとえば、「一」および／または「１つ」は「少なくとも1つ」または「1つ以上」として解釈されるべきである）、「一」または「１つ」という請求項の記載の導入が、そのような導入された請求項の記載を含む特定の請求項を、そのような記載を1つだけ含む実施形態に限定することを意味すると解釈されるべきではない。さらに、導入された請求項の記載に特定の数が明示的に記載されている場合でも、当業者は、そのような記載が少なくとも記載された数を意味すると解釈されるべきであることを認識するであろう（例えば、他の修飾語の無い「２つの記載」という記載は、少なくとも２つの記載、または２つ以上の記載を意味する）。さらに、「Ａ、Ｂ、及びＣ等の少なくとも1つ」に類似した記載がある場合、一般に、そのような記載は、当業者が慣習を理解するという意味で意図されている（例えば、「Ａ、Ｂ、およびＣの少なくとも１つを有するシステム」は、Ａのみ、Ｂのみ、Ｃのみ、ＡとＢの組み合わせ、ＡとＣの組み合わせ、ＢとＣの組み合わせ、および／またはＡ、Ｂ、Ｃの組み合わせなどを有するシステムを含むが、これらに限定されない）。さらに、「Ａ、Ｂ、又はＣ等の少なくとも１つ」に類似した記載がある場合、一般に、そのような記載は、当業者が慣習を理解するという意味で意図されている（例えば、「Ａ、Ｂ、又はＣの少なくとも１つを有するシステム」は、Ａのみ、Ｂのみ、Ｃのみ、ＡとＢの組み合わせ、ＡとＣの組み合わせ、ＢとＣの組み合わせ、および／またはＡ、Ｂ、Ｃの組み合わせなどを有するシステムを含むが、これらに限定されない）。明細書、特許請求の範囲、または図面において、２つ以上の代替用語を提示する事実上すべての分離単語および／または句は、それら用語の1つ、用語の何れか、又は両方の用語を含む可能性を企図するように理解されるべきであることが当業者によってさらに理解される。例えば、「ＡまたはＢ」という句は、「Ａ」または「Ｂ」もしくは「ＡおよびＢ」の可能性を含むと理解されるであろう。
【００８４】
さらに、本開示の特徴または態様がマーカッシュグループに関して説明されている場合、当業者は、本開示が、マーカッシュグループの任意の個々の要素または要素のサブグループに関しても説明されることを認識するであろう。
【００８５】
明細書を提供するといった任意の目的のために、本明細書に開示されるすべての範囲はまた、全ての可能なサブ範囲およびそのサブ範囲の組み合わせを包含する。任意のリスト化された範囲は、同じ範囲を少なくとも等しい半分、３分の１、４分の１、５分の１、１０分の１、および／またはその他に分割することを十分に説明し、可能にするものとして容易に認識できる。非限定的な例として、本明細書で説明される各範囲は、下３分の１、中３分の１、および上３分の１などに容易に分解することができる。「最大」、「少なくとも」などのすべての表現は、列挙された数を含み、上記のように後でサブ範囲に分解することができる範囲を指す。最後に、範囲には個々の要素が含まれる。したがって、例えば、１乃至３個のセルを有するグループは、１、２、または３個のセルを有するグループを指す。同様に、１乃至５個のセルを有するグループは、１、２、３、４、または５個のセルを有するグループなどを指す。
【００８６】
前述のことから、本開示の様々な実施形態は、例示の目的で本明細書に記載されており、本開示の範囲および精神から逸脱することなく、様々な改変を行うことができる。したがって、本明細書に開示される様々な実施形態は、限定することを意図するものではない。
【図１Ａ】
2021522118.tif 000003
【図１Ｂ】
2021522118.tif 000004
【図１Ｃ】
2021522118.tif 000005
【図２Ａ】
2021522118.tif 000006
【図２Ｂ】
2021522118.tif 000007
【図３Ａ】
2021522118.tif 000008
【図３Ｂ】
2021522118.tif 000009
【図４Ａ】
2021522118.tif 000010
【図４Ｂ】
2021522118.tif 000011
【図５Ａ】
2021522118.tif 000012
【図５Ｂ】
2021522118.tif 000013
【図５Ｃ】
2021522118.tif 000014
【図５Ｄ】
2021522118.tif 000015
【図６Ａ】
2021522118.tif 000016
【図６Ｂ】
2021522118.tif 000017
【図７Ａ】
2021522118.tif 000018
【図７Ｂ】
2021522118.tif 000019
【図７Ｃ】
2021522118.tif 000020
【図７Ｄ】
2021522118.tif 000021
【図８】
2021522118.tif 000022
【図９】
2021522118.tif 000023
【図１０Ａ】
2021522118.tif 000024
【図１０Ｂ】
2021522118.tif 000025
【図１０Ｃ】
2021522118.tif 000026
【図１１Ａ】
2021522118.tif 000027
【図１１Ｂ】
2021522118.tif 000028
【図１１Ｃ】
2021522118.tif 000029
【図１２】
2021522118.tif 000030
【国際調査報告】
2021522118.tif 000031
2021522118.tif 000032